(57)【特許請求の範囲】
【請求項１】
誘導発熱して回転するローラシェルと、前記ローラシェルの内端面に嵌合する凸部を備え、前記凸部が前記ローラシェルの内端面に嵌合した状態で締付ボルトにより固定されるジャーナルを備え、前記ローラシェルの肉厚部分に、前記ローラシェルの回転軸心方向に沿って延びる第１のねじ孔を設け、また前記第１のねじ孔に連続して前記ジャーナルに前記第１のねじ孔よりも内径が大きい第２のねじ孔を設け、前記第２のねじ孔に遊嵌される前記締付ボルトを前記第１のねじ孔にねじ込むことにより、前記ローラシェルに対して前記ジャーナルを固定してなる誘導発熱ローラ装置において、前記ローラシェルに固定されてある前記ジャーナルを前記ローラシェルから取り外す際に、前記第１のねじ孔に押しボルト受け用ねじをねじ込むとともに、前記押しボルト受け用ねじの頭部に当たって突き押すように前記第２のねじ孔に押しボルトをねじ込んでなる誘導発熱ローラ装置。
【発明の詳細な説明】
【０００１】
【発明の属する技術分野】
本発明は回転する誘導発熱ローラ装置に関する。
【０００２】
【従来の技術】
周知のように誘導発熱ローラ装置は、回転するローラの内部に、鉄心と、これに巻装された誘導コイルとからなる誘導発熱機構を備えている。この構成の一例を図６によって説明すると、１はローラシェル、２はその両側に一体的に取り付けられてあるジャーナルで、これは軸受３を介して機台４に回転自在に支持されてあり、任意の駆動源によって回転駆動される。
【０００３】
５は誘導発熱機構で、筒状の鉄心６と、これに巻装される誘導コイル７とによって構成されている。誘導発熱機構５はその両側を支持ロッド８によりローラシェル１の内部に支持されている。支持ロッド８は回転が拘束された状態でジャーナル２内に挿通され、軸受９を介してジャーナル２に支持されている。誘導コイル７はリード線１０に接続され、このリード線１０は、支持ロッド８内を通って外部に導出され、外部の交流電源に接続されている。
【０００４】
ローラシェル１の端部にジャーナル２を取り付けるために、ジャーナル２の表面に凸部１１を設け、その凸部１１の外面１１ａが、ローラシェル１の内面１ａの端部にほぼ合致するようにしておく。そしてこの凸部１１の外面１１ａをローラシェル１の内面１ａに圧入するように嵌合させ、締付ボルトにより締め付ける（詳細は図５参照。）。
【０００５】
図５はその締付け状態の従来例を示すもので、図６のうちの実線で囲った部分Ａを拡大して示してある。１２はローラシェル１の肉厚部分に、ローラシェル１の回転軸心方向に沿って延びるように設けられたねじ孔、１２ａはねじ孔１２のねじ部、１３はねじ孔１２に連続するようにジャーナル２に設けられた貫通孔、１４は締付ボルト、１４ａは締付ボルト１４のねじ部、１４ｂは同頭部、１４ｃは座金である。
【０００６】
前記のようにジャーナル２の凸部１１をローラシェル１の内面１ａに嵌合させた状態で、締付ボルト１４を貫通孔１３に遊嵌させてから、ねじ部１４ａをねじ孔１２のねじ部１２ａにねじ込む。このとき座金１４ｃが貫通孔１３の段部１３ａに押しつけられることによって、ローラシェル１に対してジャーナル２が一体的に強固に固定されることになる。実際には締付ボルト１４はジャーナル２の円周方向に沿って多数設けてあり、したがってまた貫通孔１３、ねじ孔１２も同じ数だけ設けてある。
【０００７】
ところで、ローラシェル１の内部にある誘導発熱機構５をたとえば修理、保全の目的で外部への取出しが要求される場合、前記のように固定されたジャーナル２をローラシェル１から取り外す必要がある。この場合はすべての締付ボルト１４をゆるめて除去し、そのあとジャーナル２を引き出すようにしている。ところが実際にはジャーナル２の凸部１１はローラシェル１の内面１ａに強固に密着しているので、簡単には引き離れない。
【０００８】
そのため従来では、ジャーナル２に、貫通孔１３とは別に多数のねじ孔を設けておき、このねじ孔に押しボルトをねじ込むようにしている。この押しボルトのねじ込みにより、その先端がローラシェルの端面に押しつけられる。この押しつけによるねじ込みによって、ジャーナル２にはローラシェル１から離間する方向に送られる力が作用し、この力によってジャーナル２が引き離される。
【０００９】
しかしこのようなジャーナル２の引離しのためには、前記の説明から理解されるように、ジャーナル２には、締付ボルト１４が通る複数の貫通孔１３と、押しボルトがねじ込まれる複数のねじ孔とを別個に設けておかなければならないことになる。そのためそれだけジャーナルに対する穿孔の数が多くなる欠点がある。
【００１０】
【発明が解決しようとする課題】
本発明は、回転するローラシェルに取り付けられたジャーナルを取り外すために押しボルトを使用するようにした場合、ジャーナルを取り付けるための締付ボルトが通る孔を押しボルトがねじ込まれるねじ孔に兼用するようにし、もってジャーナルに対する穿孔の数を少なくすることを目的とする。
【００１１】
【課題を解決するための手段】
本発明は、ローラシェルに固定されてあるジャーナルをローラシェルから取り外す際に、ローラシェルに設けてある、締付ボルトのためのねじ孔に押しボルト受け用ねじをねじ込むとともに、押しボルト受け用ねじの頭部に当たって突き押すように、ジャーナルをローラシェルに取り付ける際に締付ボルトが遊嵌していたねじ孔に、押しボルトをねじ込むようにしたことを特徴とする。
【００１２】
ジャーナルをローラシェルに取り付ける際には、締付ボルトはローラシェルに設けたねじ孔にジャーナルからねじ込むことにより、固定される。ジャーナルをとり外す際には、締付ボルトを除去したあと、前記ねじ孔に押しボルト受け用ねじをねじ込んでおき、その頭部に突き当たるように押しボルトをジャーナルにねじ込む。このねじ込みによってジャーナルにはローラシェルから離間する方向に力が作用し、この力によりジャーナルはローラシェルから引き離される。
【００１３】
このようにすれば、ローラシェルに設けたねじ孔をもって、ジャーナルの締め付けと、取外しとの両方に利用される。したがってジャーナル取外しのための専用の孔をジャーナルに設ける必要がなくなり、それだけジャーナルに対すね穿孔の数が少なくて足りることになる。
【００１４】
【発明の実施の形態】
本発明の実施態様を図１〜図４によって説明する。なお図５、図６に示す符号と同じ符号を附した部分は同一または対応する部分を示す。本発明にしたがい、図５に示す従来構成における貫通孔１３に代えてこれをねじ孔２１とする。２１ａはそのねじ部である。ねじ孔２１には段部２１ｂを設けておくことは従来と同様である。２２は押しボルト、２２ａはそのねじ部、２３は押しボルト受け用のねじ、２３ａはそのねじ部、２３ｂはねじ２３をねじ孔１２にねじ込むときに使用する角状のレンチ孔である。
【００１５】
ジャーナル２は従来と同様にローラシェル１の端面に嵌合され、締付ねじ１４をねじ孔１２にねじ込むことにより、座金１４ｃがねじ孔２１の段部２１ｂに押しつけられ、これによりジャーナル２がローラシェル１に締め付けられる。そのときの状態を示したのが図３である。ねじ孔２１の内径は締付ボルト１４のねじ部１４ａの径より大きいので、ねじ孔２１の内面と締付ボルト１４のねじ部１４ａの外周との間には僅かな間隙が生じる。
【００１６】
このようにローラシェル１に取り付けられたジャーナル２を取り外すときは、すべての締付ボルト１４をねじ孔１２から取り除く。そして最初にねじ孔１２にねじ２３をレンチ孔２３ｂを利用してねじ込む。この場合ねじ２３の頭部がローラシェル１の端面よりも僅かに突出するようにしておく。
【００１７】
ついで押しボルト２２をねじ孔２１にねじ込む。このねじ込みにつれて押しボルト２２の先端が、さきにねじ込まれているねじ２３の頭部に突き当たる。押しボルト２２を更にねじ込むと、ジャーナル２にはこれがローラシェル１の端面から引き離される方向の力が作用する。これによりジャーナル２をローラシェル１から離すことができ、もってジャーナル２を取り外すことができる。
【００１８】
なおこの押しボルト２２を利用してジャーナル２を取り外す作業は、従来における押しボルトを利用して行う取外し作業となんら異なるところはない。これらの説明から理解されるように、ジャーナルの締め付けと、その取外しの際には、ともに同じねじ孔２１を供用しているので、締め付けと取外しのためにそれぞれ別の孔を用意する必要はなくなる。
【００１９】
【発明の効果】
以上説明したように本発明によれば、ローラシェルに対するジャーナルの取付けるための締付ボルが通るようにジャーナルに設けた孔を、ジャーナルの取外しのための押しボルトのねじ込みのために供用するようにしたので、従来のようにジャーナルの取付け用の孔と取外しのための孔とを別個に設ける必要がなくなるので、したがってジャーナルに対する穿孔の数をそれだけ少なくすることができる効果を奏する。
【図面の簡単な説明】
【図１】本発明の実施態様を示すもので、ジャーナルを取り外す状態を示す部分断面図である。
【図２】図１における押しボルトと押しボルト受け用ねじの正面図である。
【図３】本発明におけるジャーナルを取り付けた状態を示す部分断面図である。
【図４】図３における締付ボルトの正面図である。
【図５】従来例におけるジャーナルを取り付けた状態を示す部分断面図である。
【図６】誘導発熱ローラ装置の断面図である。
【符号の説明】
１  ローラシェル
２  ジャーナル
１１  凸部
１２  ねじ孔
１４  締付ボルト
２１  ねじ孔
２２  押しボルト
２３  押しボルト受け用ねじ
【図１】
0004219520.tif 000002
【図２】
0004219520.tif 000003
【図３】
0004219520.tif 000004
【図４】
0004219520.tif 000005
【図５】
0004219520.tif 000006
【図６】
0004219520.tif 000007